(57)【要約】【課題】  メモリに記憶されている大量の静止画像を高速にブラウジング可能とする。【解決手段】  サーチモード時において、アルバム表示モードで表示していた例えば９枚のサムネイル画像上にタイムラインを表示する。このタイムラインは、例えば「月」の次元とされている場合には、各月毎の最新の撮像日の静止画像のサムネイル画像が並べて表示され、「日」の次元とされている場合には、タイムラインが「月」の次元とされている際にユーザにより選択された「月」に撮像された各静止画像のサムネイル画像が、新しい撮像日から順に並べられて表示される。また、上記９枚のサムネイル画像は、このタイムラインの操作に連動して表示される。ユーザは、このタイムライン上に表示されるサムネイル画像及び９枚のサムネイル画像により、メモリに記憶されている各月及び各日に撮像された静止画像を高速にブラウジングすることができる。【選択図】  図５
2006302196.tif 000002
【特許請求の範囲】
【請求項１】
表示手段上に形成される第１の表示領域及び第２の表示領域のうち、該第１の表示領域に、少なくとも２つ以上の時間の単位を備え、この２つ以上の時間の単位の中から所望の時間の単位を指定操作可能なタイムラインを表示するタイムライン表示手段と、
それぞれに時間情報が付加されて記憶手段に記憶されている複数の情報の中から、操作手段を介して上記第１の表示領域に表示されたタイムラインが操作されることで指定された時間の単位に関連する時間情報が付加された情報を読み出して上記表示手段の上記第２の表示領域に表示する関連情報表示手段と
を有する表示制御装置。
【請求項２】
請求項１に記載の表示制御装置であって、
上記タイムライン表示手段は、上記タイムラインが操作されることで指定された時間の単位に関連する時間情報が付加された情報を、上記記憶手段から読み出して上記タイムライン上に時間軸に沿った形式で表示すること
を特徴とする表示制御装置。
【請求項３】
請求項２に記載の表示制御装置であって、
上記タイムライン表示手段は、上記操作手段が備える上下左右の各キーのうち、上キーが操作された際に、タイムラインの時間の単位を詳細な時間の単位から簡略化された時間の単位に切り替え、下キーが操作された際に、タイムラインの時間の単位を簡略化された時間の単位から詳細な時間の単位に切り替えること
を特徴とする表示制御装置。
【請求項４】
請求項３に記載の表示制御装置であって、
少なくとも上記タイムライン表示手段は、上記タイムライン上に表示する各情報の表示位置のうち、上記指定された時間の単位に対応する情報が存在しない表示位置に対して、該情報が存在しないことを示す表示を行うこと
を特徴とする表示制御装置。
【請求項５】
請求項４に記載の表示制御装置であって、
上記タイムライン表示手段は、上記操作手段を介して操作可能であり、上記タイムライン上に表示された各情報の中から所望の情報を選択するための選択子を上記タイムライン上に表示すると共に、上記タイムライン上に表示した各情報のうち、上記情報が存在しないことを示す表示を行っている表示位置に上記選択子が移動操作された際に、この表示位置から次に情報の表示がなされている位置まで該選択子を自動的に移動表示すること
を特徴とする表示制御装置。
【請求項６】
請求項５に記載の表示制御装置であって、
上記タイムライン表示手段は、上記操作手段が備える上下左右の各キーのうち、右キーが操作された際に、上記タイムラインに設定している時間の単位で、時間が進行する方向に上記選択子或いはタイムライン上に表示している情報をシフト表示し、左キーが操作された際に、上記タイムラインに設定している時間の単位で、時間が戻る方向に上記選択子或いはタイムライン上に表示している情報をシフト表示すること
を特徴とする表示制御装置。
【請求項７】
請求項２から請求項６のうち、いずれか一項に記載の表示制御装置であって、
上記記憶手段に記憶されている情報は、静止画像情報或いは動画像情報であり、
上記タイムライン表示手段は、上記指定された時間の単位に対応する上記静止画像情報或いは上記動画像情報のサムネイル画像を形成し、これらを上記時間軸に沿って上記タイムライン上に表示し、
上記関連情報表示手段は、上記選択子により上記タイムラインから選択された静止画像情報或いは動画像情報に対応する静止画像情報或いは動画像情報を上記記憶手段から検出し、この検出した静止画像情報或いは動画像情報のサムネイル画像を形成して上記表示手段の上記第２の表示領域に表示すること
を特徴とする表示制御装置。
【請求項８】
タイムライン表示手段が、表示手段上に形成される第１の表示領域及び第２の表示領域のうち、該第１の表示領域に、少なくとも２つ以上の時間の単位を備え、この２つ以上の時間の単位の中から所望の時間の単位を指定操作可能なタイムラインを表示するステップと、
関連情報表示手段が、それぞれに時間情報が付加されて記憶手段に記憶されている複数の情報の中から、操作手段を介して上記第１の表示領域に表示されたタイムラインが操作されることで指定された時間の単位に関連する時間情報が付加された情報を読み出して上記表示手段の上記第２の表示領域に表示するステップと
を有する表示制御方法。
【請求項９】
それぞれに時間情報が付加された複数の情報が記憶された記憶手段と、
上記情報の表示を行うための表示手段と、
上記表示手段上に形成される第１の表示領域及び第２の表示領域のうち、該第１の表示領域に、少なくとも２つ以上の時間の単位を備え、この２つ以上の時間の単位の中から所望の時間の単位を指定操作可能なタイムラインを表示するタイムライン表示手段と、
上記タイムラインの時間の単位を指定操作するための操作手段と、
上記操作手段を介して上記第１の表示領域に表示されたタイムラインが操作されることで指定された時間の単位に関連する時間情報が付加された情報を、上記記憶手段から読み出して上記表示手段の上記第２の表示領域に表示する関連情報表示手段と
を有する携帯端末装置。
【請求項１０】
表示手段上に形成される第１の表示領域及び第２の表示領域のうち、該第１の表示領域に、少なくとも２つ以上の時間の単位を備え、この２つ以上の時間の単位の中から所望の時間の単位を指定操作可能なタイムラインを表示するタイムライン表示手段としてコンピュータを機能させ、
操作手段を介して上記第１の表示領域に表示されたタイムラインが操作されることで所望の時間の単位が指定された際に、それぞれに時間情報が付加されて記憶手段に記憶されている複数の情報の中から、上記指定された時間の単位に関連する時間情報が付加された情報を読み出して上記表示手段の上記第２の表示領域に表示する関連情報表示手段としてコンピュータを機能させること
を特徴とする表示制御プログラム。
【発明の詳細な説明】
【技術分野】
【０００１】
本発明は、例えば携帯電話機，ＰＨＳ電話機（PHS：Personal Handyphone System）、及びＰＤＡ装置（PDA：Personal Digital Assistant），ノート型或いはデスクトップ型のパーソナルコンピュータ装置等の端末装置に設けて好適な表示制御装置、表示制御方法、携帯端末装置及び表示制御プログラムに関し、特に記憶媒体に多数記憶されているデータを容易にブラウジング可能とした（＝容易に確認（閲覧）可能とした）表示制御装置、表示制御方法、携帯端末装置及び表示制御プログラムに関する。
【背景技術】
【０００２】
今日において普及している携帯電話機には、電話機能、携帯メール機能及びＷｅｂ閲覧機能の他、カメラ機能、音楽プレーヤ機能、テレビジョン放送受信機能等の多くの機能が設けられている。また、このような機能の増加に伴い、大きな記憶容量のメモリが必要となり、記憶容量の大きな内部メモリが設けられると共に、機器本体に対して着脱可能な大容量メモリ（外部メモリ）も装着可能とされており、この内部メモリ及び外部メモリの各記憶容量を合わせ、携帯電話機全体として大きな記憶容量を有するに至っている。
【０００３】
この結果、携帯電話機には（上記内部メモリ及び上記外部メモリには）、多くのデータを保存することが可能であり、ユーザは、電話帳やスケジュール帳のデータをはじめとして、カメラ機能を用いて撮像した静止画像や動画像、或いは音楽プレーヤ機能で再生する音楽データ等を、このメモリに保存するようになっている。
【０００４】
メモリに記憶された各データは、再生に先立って一覧的に表示されるようになっており、静止画像の場合は、複数枚のサムネイル画像のみが、或いは複数枚のサムネイル画像と撮像年月日が並列的に並べて表示され、動画像の場合は、メモリに記憶されているデータが動画像であることを示す該動画像のアイコンとその撮像年月日が並列的に並べて表示される。また、音楽データの場合は、各音楽データの曲名やアルバムタイトル等が並列的に並べて表示される。
【０００５】
ユーザは、所望の静止画像を表示する場合、サムネイル画像や撮像年月日に基づいて所望の静止画像を認識し、この静止画像の表示を指定する。これにより、携帯電話機の表示部に、ユーザにより指定された静止画像が大きく表示されることとなる。また、ユーザは、所望の動画像を再生する場合、撮像年月日に基づいて所望の動画像を認識し、この動画像の再生を指定する。これにより、携帯電話機の表示部に、ユーザにより指定された動画像が大きな画面で再生されることとなる。また、ユーザは、所望の音楽データを再生する場合、曲名やアルバムタイトルに基づいて所望の音楽データを認識し、この音楽データの再生を指定する。これにより、携帯電話機のスピーカ部やイヤホン端子に接続されたイヤホン装置を介して、ユーザにより指定された音楽データの再生出力が得られることとなる。
【０００６】
また、大量のデータの中から所望のデータを素早く検索可能とするために、各データに対して表題等のメタ情報を付加することが可能な携帯電話機も知られている。この携帯電話機の場合、ユーザは、所望のデータのプロパティの編集画面を表示し、この編集画面に対して、所望の表題等を入力する。例えば、そのデータが運動会の静止画像であった場合、「運動会」等の表題を入力する。これにより、付加した表題に基づいて、そのデータの内容を大まかに認識することができ、後に所望のデータを検索し易くすることができる。
【０００７】
一方、特開２００４−２９７６４９号の公開特許公報（特許文献１）に、メモリに記憶された多数のデータの中から所望のデータを検索し易くする映像信号記録再生装置が開示されている。この映像信号記録再生装置は、映像信号をハードディスク装置（ＨＤＤ）に記録する際に、カメラレコーダ装置やデジタルカメラ装置で撮影した映像信号は「分類Ａの映像信号」に分類して記録し、テレビジョン放送の映像信号は「分類Ｂの映像信号」に分類してハードディスク装置に記録する。
【０００８】
ハードディスク装置に記録済みの映像信号のうち、上記「分類Ｂの映像信号（＝テレビジョン放送の映像信号）」をユーザに示す場合、マイクロプロセッサは、各テレビジョン放送の映像信号のサムネイル画像を形成し、これらを一覧的に表示する。ユーザは、このサムネイルに基づいて、テレビジョン放送を記録した映像のうち、所望の映像を検索することができる。
【０００９】
これに対して、ハードディスク装置に記録済みの映像信号のうち、上記「分類Ａの映像信号（＝カメラレコーダ装置やデジタルカメラ装置で撮影した映像信号）」をユーザに示す場合、マイクロプロセッサは、ユーザにより指定された月のカレンダー画像をディスプレイに表示すると共に、ハードディスク装置に記録されている各映像信号にそれぞれ付されている日付情報に基づいて該各映像信号の撮像日を特定する。
【００１０】
そして、カメラレコーダ装置で撮像した映像信号を示すカメラレコーダ装置のアイコン、及び（又は）デジタルカメラ装置で撮像した映像信号を示すデジタルカメラ装置のアイコンをそれぞれ形成し、上記カレンダー画像上の、各映像信号の撮像日に対応する表示領域に、上記カメラレコーダ装置のアイコン、又は（及び）デジタルカメラ装置のアイコンをそれぞれ表示する。
【００１１】
これにより、ユーザは、カレンダー画像上に上記アイコンが表示されている場合には、その日付に撮像されたカメラレコーダ装置、又は（及び）デジタルカメラ装置の映像信号がハードディスク装置に保存されていることを認識することができる。
【００１２】
次に、ユーザは、このカレンダー画像に基づいて、上記アイコンが表示されている日付に撮像された何らかの映像が存在することは認識することができるのであるが、その内容までは認識することができない。このため、ユーザは、映像の内容を知りたい場合、上記アイコンが表示されている日付の中から所望の日付を指定する。この指定がなされると、マイクロプロセッサは、その日付に撮像されたカメラレコーダ装置の映像のうち代表的な映像、又は（及び）その日付に撮像されたデジタルカメラ装置の映像のうち代表的な映像のサムネイル画像を形成し、これを上記カレンダー画像に代えてディスプレイに表示する。これにより、ユーザは、指定された日付に撮像された映像の内容を認識することが可能となる。
【００１３】
また、マイクロプロセッサは、このサムネイル画像と共に、現在、表示している映像の日付よりも前の日付で撮像された映像の表示を指定するための「前の日ボタン」及び現在、表示している映像の日付よりも後の日付で撮像された映像の表示を指定するための「次の日ボタン」をディスプレイに表示する。そして、マイクロプロセッサは、「前の日ボタン」の操作を検出すると、この操作の検出毎に、現在、表示している映像の日付よりも前の日付で撮像された映像を順次、ディスプレイに表示する。また、マイクロプロセッサは、「次の日ボタン」の操作を検出すると、この操作の検出毎に、現在、表示している映像の日付よりも後の日付で撮像された映像を順次、ディスプレイに表示する。これにより、ユーザは、指定した日付の前後の日付に撮像された映像の内容も認識することが可能となる。
【００１４】
このように特許文献１に開示されている映像信号記録再生装置は、ハードディスク装置に記録する映像信号を「カメラレコーダ装置で撮像された映像信号及びデジタルカメラ装置で撮像された映像信号（分類Ａ）」、及び「テレビジョン放送の映像信号（分類Ｂ）」に分けて該ハードディスク装置に記録する。そして、テレビジョン放送の映像信号は、各映像信号のサムネイル画像を一覧的に表示することで、多数記録されたテレビジョン放送の映像信号の中から所望の映像信号を容易に検索可能としている。
【００１５】
また、カメラレコーダ装置或いはデジタルカメラ装置で撮像された映像信号は、該各映像信号に付されている日付情報に基づいて、カレンダー画像上の対応する日付の表示領域に、その映像を撮像した機器のアイコンを表示することで、その日付に対応するカメラレコーダ装置又は（及び）デジタルカメラ装置で撮像された映像信号の存在を示す。これにより、ハードディスク装置内に多数記憶されているカメラレコーダ装置或いはデジタルカメラ装置で撮像された映像のうち、所望の映像を、上記アイコンが表示されたカレンダー画像上の日付に基づいて大まかに検索することを可能としている。
【００１６】
また、カレンダー画像の日付のうち、アイコンが表示されている日付が指定された場合、この日付に撮像された映像のサムネイル画像を形成して表示し、またユーザにより指定される毎に、上記指定された日付よりも前の日付で撮像された映像、或いは上記指定された日付よりも後の日付で撮像された映像を順次表示することで、各日付に撮像された映像の内容を確認可能とし、多数記録されたカメラレコーダ装置及びデジタルカメラ装置の映像の中から所望の映像を容易に検索可能としている。
【００１７】
【特許文献１】特開２００４−２９７６４９号公報（第７頁〜第１０頁：図６、図８、図１０）
【発明の開示】
【発明が解決しようとする課題】
【００１８】
前述のように、メモリの記憶容量が大きくなると、保存される静止画像、動画像或いは音楽データ等のデータ数が多くなるのであるが、従来の携帯電話機の場合、単に、サムネイル画像、撮像年月日或いは曲名等を並列的に並べて表示するだけのため、多くのデータを迅速にブラウジングし難い問題があった（迅速に確認し難い問題があった。）。
【００１９】
また、各データに対して所望のメタ情報を付加して記憶しておくことで、このメタ情報に基づいて、ある程度、データの迅速なブラウジングが可能となるが、このメタ情報の入力は各データ毎に行う必要があるため、この入力作業が大変面倒となる問題があった。
【００２０】
また、特許文献１に開示されている映像信号記録再生装置において、テレビジョン放送の映像（＝分類Ｂの映像）のブラウジングを行う場合、やはり各映像のサムネイル画像が並列的に並べて表示されるだけのため、多くの映像を迅速にブラウジングし難い問題がある。
【００２１】
また、特許文献１に開示されている映像信号記録再生装置において、カメラレコーダ装置或いはデジタルカメラ装置で撮像された映像（＝分類Ａの映像）のブラウジングを行う場合、カレンダー上にアイコンが表示されるだけのため、このアイコンに基づいて最初に認識できる事項は「その日付に撮像された映像の有無のみ」である。このため、保存されている映像の内容の認識は、この日付に基づいてユーザが記憶を辿る必要があり、不確かな内容の認識しかできない問題があった。また、映像の内容を確認するためには、日付を指定して一つ々々各サムネイル画像の映像を表示させ、該内容の確認を行う必要があった。このため、やはり多くの映像を迅速にブラウジングし難い問題があった。
【００２２】
本発明は、上述の課題に鑑みてなされたものであり、メタ情報等の面倒な入力作業を必要とすることなく、多くのデータを迅速にブラウジングすることができるような表示制御装置、表示制御方法、携帯端末装置及び表示制御プログラムの提供を目的とする。
【課題を解決するための手段】
【００２３】
本発明に係る表示制御装置は、上述の課題を解決するための手段として、
表示手段上に形成される第１の表示領域及び第２の表示領域のうち、該第１の表示領域に、少なくとも２つ以上の時間の単位を備え、この２つ以上の時間の単位の中から所望の時間の単位を指定操作可能なタイムラインを表示するタイムライン表示手段と、
それぞれに時間情報が付加されて記憶手段に記憶されている複数の情報の中から、操作手段を介して上記第１の表示領域に表示されたタイムラインが操作されることで指定された時間の単位に関連する時間情報が付加された情報を読み出して上記表示手段の上記第２の表示領域に表示する関連情報表示手段と
を有する。
【００２４】
また、本発明に係る表示制御方法は、上述の課題を解決するための手段として、
タイムライン表示手段が、表示手段上に形成される第１の表示領域及び第２の表示領域のうち、該第１の表示領域に、少なくとも２つ以上の時間の単位を備え、この２つ以上の時間の単位の中から所望の時間の単位を指定操作可能なタイムラインを表示するステップと、
関連情報表示手段が、それぞれに時間情報が付加されて記憶手段に記憶されている複数の情報の中から、操作手段を介して上記第１の表示領域に表示されたタイムラインが操作されることで指定された時間の単位に関連する時間情報が付加された情報を読み出して上記表示手段の上記第２の表示領域に表示するステップと
を有する。
【００２５】
また、本発明に係る携帯端末装置は、上述の課題を解決するための手段として、
それぞれに時間情報が付加された複数の情報が記憶された記憶手段と、
上記情報の表示を行うための表示手段と、
上記表示手段上に形成される第１の表示領域及び第２の表示領域のうち、該第１の表示領域に、少なくとも２つ以上の時間の単位を備え、この２つ以上の時間の単位の中から所望の時間の単位を指定操作可能なタイムラインを表示するタイムライン表示手段と、
上記タイムラインの時間の単位を指定操作するための操作手段と、
上記操作手段を介して上記第１の表示領域に表示されたタイムラインが操作されることで指定された時間の単位に関連する時間情報が付加された情報を、上記記憶手段から読み出して上記表示手段の上記第２の表示領域に表示する関連情報表示手段と
を有する。
【００２６】
また、本発明に係る表示制御プログラムは、上述の課題を解決するために、
表示手段上に形成される第１の表示領域及び第２の表示領域のうち、該第１の表示領域に、少なくとも２つ以上の時間の単位を備え、この２つ以上の時間の単位の中から所望の時間の単位を指定操作可能なタイムラインを表示するタイムライン表示手段としてコンピュータを機能させ、
操作手段を介して上記第１の表示領域に表示されたタイムラインが操作されることで所望の時間の単位が指定された際に、それぞれに時間情報が付加されて記憶手段に記憶されている複数の情報の中から、上記指定された時間の単位に関連する時間情報が付加された情報を読み出して上記表示手段の上記第２の表示領域に表示する関連情報表示手段としてコンピュータを機能させる。
【００２７】
このような本発明は、タイムライン表示手段が、表示手段上に形成される第１の表示領域及び第２の表示領域のうち、該第１の表示領域に、少なくとも２つ以上の時間の単位を備え、この２つ以上の時間の単位の中から所望の時間の単位を指定操作可能なタイムラインを表示する。
【００２８】
そして、関連情報表示手段が、操作手段を介して上記第１の表示領域に表示されたタイムラインが操作されることで所望の時間の単位が指定された際に、それぞれに時間情報が付加されて記憶手段に記憶されている複数の情報の中から、上記指定された時間の単位に関連する時間情報が付加された情報を読み出して上記表示手段の上記第２の表示領域に表示する。
【発明の効果】
【００２９】
本発明は、タイムラインの時間の単位を、所望の時間の単位に設定操作可能となっており、このタイムラインの時間の単位の設定操作に連動するかたちで、該タイムラインに設定された時間の単位に関連する情報を第２の表示領域に表示することができる。このため、タイムラインの時間の単位を適宜変更しながら、記憶手段に記憶されている各情報のブラウジングを行うことで、多くの情報を迅速にブラウジング可能とすることができる。
【００３０】
また、本発明は、タイムライン上に表示する各情報のうち、情報が存在しないことを示す表示を行っている表示位置に選択子が移動操作された際に、この表示位置から次に情報の表示がなされている位置まで該選択子を自動的に移動表示することで、存在する情報の間で選択子を移動させることができる。このため、さらに迅速な情報のブラウジングを可能とすることができる。
【発明を実施するための最良の形態】
【００３１】
本発明は、携帯電話機に適用することができる。
【００３２】
［携帯電話機の電気構成］
図１に、本発明を適用した実施の形態となる携帯電話機のブロック図を示す。この図１に示すように、当該実施の形態の携帯電話機は、携帯事業者のコミュニケーションネットワークに接続された基地局との間でデータの送受信を行うアンテナ１及び通信回路２と、着信音，受話音声，動画ファイルの音声，音楽データの音声等を得るためのスピーカ部３と、送話音声等を集音するマイクロホン部４と、発着信電話番号、送信元，送信先となるユーザの名前、電話や携帯メールの発着信履歴、電話帳，アドレス帳、スケジュール帳、送受信した携帯メールの文章の他、後に説明する静止画像等のブラウジング画面等を表示するための表示部５とを有している。
【００３３】
また、この携帯電話機は、所望の電話番号や文字の入力、及び上記ブラウジング画面の表示の指定等を行うための複数のキーが設けられた操作部６と、電話着信や携帯メールの着信等を光でユーザに知らせるための発光部７（LED：Light Emitting Diode）と、所望の被写体の静止画像及び動画像を撮像するためのカメラ部８と、電話着信や携帯メールの着信等を当該携帯電話機の筐体を振動させることでユーザに知らせるためのバイブレーションユニット９とを有している。
【００３４】
また、この携帯電話機は、上記カメラ部８等で撮像された静止画像及び動画像の他、所望の音楽データ等が記憶される大容量の外付けメモリである外部メモリ１１が接続される外部メモリインターフェイス１０（外部メモリＩＦ）と、上記基地局との間で無線通信を行うための通信処理プログラム（コミュニケーションプログラム）や各種アプリケーションプログラムの他、電話帳及びスケジュール帳のデータ、携帯メールの文書データ、及び上記カメラ部８等で撮像された静止画像及び動画像の各データ等が記憶されたメモリ１２と、このメモリ１２に記憶されているアプリケーションプログラム等に基づいて、当該携帯電話機全体の動作を制御する制御部１３とを有している。
【００３５】
メモリ１２に記憶されているアプリケーションプログラムとしては、上記メモリ１２或いは外部メモリ１１に記憶されている音楽データを再生する音楽プレーヤアプリケーションプログラムの他、上記メモリ１２或いは外部メモリ１１に記憶されているデータの内容をブラウジングするためのブラウジングアプリケーションプログラムが記憶されている。
【００３６】
また、上記メモリ１２或いは外部メモリ１１に記憶される静止画像データ及び動画像データには、その静止画像或いは動画の撮像年月日を示す「時間情報」が付加されて記憶されており、音楽データに対しては、当該メモリ１２或いは外部メモリ１１に記憶された記憶年月日を示す「時間情報」が付加されて記憶されている。
【００３７】
［携帯電話機の外観構成］
図２に、この実施の形態の携帯電話機の外観を示す。この図２からわかるように、この実施の形態の携帯電話機は、いわゆるストレート型（スティック型）の携帯電話機となっており、筐体２１の表面側の略上半分の領域に例えば液晶表示部等の上記表示部５が、筐体２１の表面側の略下半分の領域に操作部６が設けられている。
【００３８】
操作部６は、筐体２１表面の略中央に位置するように設けられたエンターキー２４と、このエンターキー２４の周囲を取り囲むかたちで設けられた十字キー２５と、この十字キー２５を両者の中間に位置させるかたちで、筐体２１の両側面近傍に設けられたオンフックキー２６及びオフフックキー２７と、電話番号入力や文字入力時等に押圧操作される１２個の入力キー２８を有している。
【００３９】
上記十字キー２５は、上キー２５Ｕ、下キー２５Ｄ、左キー２５Ｌ、及び右キー２５Ｒの各キーで構成されており、ユーザは、この上下左右の各キー２５Ｕ、２５Ｄ、２５Ｌ、２５Ｒを押圧操作することで、後に説明するフォーカスの移動操作等を行うようになっている。
【００４０】
また、この操作部６は、上記十字キー２５と上記オンフックキー２６との間に、一つのキーを上下に分割したかたちで設けられたＷｅｂキー２９及びマイセレクトキー３０と、上記十字キー２５と上記オフフックキー２７との間に、一つのキーを上下に分割したかたちで設けられたメールキー３１及びクリアキー３２とを有している。
【００４１】
Ｗｅｂキー２９は、インターネット等のネットワーク通信時に用いるＷｅｂメニューを表示させるためのショートカットキーとなっており、マイセレクトキー３０は、ユーザが予め登録した所望のメニューを表示させるためのショートカットキーとなっている。また、メールキー３１は、受信メールの閲覧や新規メールの作成等のメールメニューを表示させるためのショートカットキーとなっており、クリアキー３２は、入力した文字を消去したり、現在の動作を一つ前の動作に戻すためのキーとなっている。
【００４２】
また、この携帯電話機において、筐体２１の右側面部２１ａには、当該携帯電話機に設けられているカメラ部８の標準撮影モード及びマクロ撮影モードを切り替えるための撮影モード切り替えキー３３と、イヤホン装置を接続するためのイヤホン接続端子３４と、上記カメラ部８のシャッタボタン３５とが設けられている。
【００４３】
また、筐体２１の底面部２１ｂには、充電機を接続するための充電端子３６が設けられており、図示はされていないが、筐体２１の裏面側（表示部５等が設けられている表面側に対する裏面側）には、上記カメラ部８のレンズ部やストロボライトの他、スピーカ部３等が設けられている。
【００４４】
［ブラウジングモード時の動作］
〔アルバム表示モード〕
このような構成を有する当該実施の形態の携帯電話機は、上記メモリ１２或いは外部メモリ１１に記憶されているデータを迅速にブラウジング可能となっている（＝迅速に確認（閲覧）可能となっている。）。なお、以下、一例として、ブラウジングを行うデータは、上記メモリ１２或いは外部メモリ１１に保存されている静止画像であることとして説明を進める。
【００４５】
まず、メモリ１２或いは外部メモリ１１に保存されている静止画像のブラウジングを行う場合、ユーザは、当該携帯電話機が着信待ちの状態で操作部６のエンターキー２４を操作する。制御部１３は、着信待ちの状態でエンターキー２４の操作を検出すると、表示部５に各種メニューを表示制御する。ユーザは、操作部６の十字キー２５を操作することで、この表示されたメニューの中からブラウジングメニューを選択し、エンターキー２４を操作する。制御部１３は、ブラウジングメニューが選択された状態でエンターキー２４の操作を検出すると、メモリ１２に記憶されているブラウジングアプリケーションプログラムに基づいて「アルバム表示モード」に移行し、メモリ１２或いは外部メモリ１１に保存されている静止画像のうち、ユーザにより指定された方のメモリに記憶されている各静止画像のサムネイル画像を形成し、これらを表示部５に表示制御する。
【００４６】
図３（ａ）に、この「アルバム表示モード」における各サムネイル画像の表示例を示す。この図３（ａ）は、メモリ１２或いは外部メモリ１１に保存されている各静止画像のうち、９枚分の静止画像のサムネイル画像が形成されて表示部５に表示された例を示している。
【００４７】
制御部１３は、このサムネイル画像を形成する場合、現在時刻から最も近い過去の時刻に撮像された静止画像（＝最新の撮像画像）から順に過去に撮像された９枚分の撮像画像のサムネイル画像を一度に形成し、これらを表示部５に表示制御するようになっている。
【００４８】
また、制御部１３は、この９枚のサムネイル画像を、図３（ａ）に示すように横３枚×縦３枚に配列して表示部５に表示するのであるが、この際、第１枚目のサムネイル画像（＝上記最新の撮像画像）を上段の左側に表示し、第２枚目のサムネイル画像（２番目に新しい時刻に撮像された撮像画像）を上段の中央に表示し、第３枚目のサムネイル画像（３番目に新しい時刻に撮像された撮像画像）を上段の右側に表示する。
【００４９】
また、制御部１３は、第４枚目のサムネイル画像（＝４番目に新しい時刻に撮像された撮像画像）を中段の左側に表示し、第５枚目のサムネイル画像（５番目に新しい時刻に撮像された撮像画像）を中段の中央に表示し、第６枚目のサムネイル画像（６番目に新しい時刻に撮像された撮像画像）を中段の右側に表示する。
【００５０】
また、制御部１３は、第７枚目のサムネイル画像（＝７番目に新しい時刻に撮像された撮像画像）を下段の左側に表示し、第８枚目のサムネイル画像（８番目に新しい時刻に撮像された撮像画像）を下段の中央に表示し、第９枚目のサムネイル画像（９番目に新しい時刻に撮像された撮像画像）を下段の右側に表示する。
【００５１】
また、図３（ａ）中、各サムネイル画像内に表示されている「１０」、「９」、「５」、「４」等の数字は、撮像日を示している。この表示例では、「１０」の数字が付されているサムネイル画像は、最後に撮像が行われた月の１０日に撮像されたサムネイル画像であることを示し、同様に、「５」の数字が付されているサムネイル画像は、最後に撮像が行われた月の５日に撮像されたサムネイル画像であることを示している。
【００５２】
また、制御部１３は、このようなサムネイル画像の表示と共に、上記最新の撮像画像のサムネイル画像の画枠を、所定の色で、かつ、高輝度で表示する（以下、この表示を「フォーカスをあてる」という言い方で表現する。）。制御部１３は、現在、選択中のサムネイル画像に対してこの表示を行うようになっており、この例では、デフォルトとして、上記最新の撮像画像のサムネイル画像に対してフォーカスをあてるようになっている。
【００５３】
このサムネイル画像にあてているフォーカスは、上記十字キー２５の上下左右の各キー２５Ｕ、２５Ｄ、２５Ｌ、２５Ｒで移動操作可能となっており、制御部１３は、上下左右の各キー２５Ｕ、２５Ｄ、２５Ｌ、２５Ｒの押圧操作を検出する毎にフォーカスを移動制御するようになっている。
【００５４】
また、制御部１３は、上記各サムネイル画像及びフォーカスと共に、表示画面の左端に沿って棒状のスクロールバーを表示制御する。このスクロールバーは全長がメモリ１２或いは外部メモリ１１に記憶されている静止画像の全枚数に対応しており、上端部が最新の静止画像を、下端部が最も過去に撮像された静止画像に対応している。
【００５５】
また、このスクロールバー上の表示色が変わっている部分は、その長さで、現在表示されているサムネイル画像の枚数（この例では９枚）を示すようになっており、また、その表示位置で、静止画像を時系列に沿って直線状に並べた場合に、現在表示されている静止画像のサムネイル画像は、どの位置に相当するかを示している（＝現在表示されている静止画像のサムネイル画像は、静止画像全体の中のどの部分の静止画像のサムネイル画像かを示している。）。図３（ａ）に示す例の場合、最新の撮像画像から９枚分の撮像画像のサムネイル画像が表示されている。このため、スクロールバー上の最上端部近傍の部分の表示色が変わっていることがわかるであろう（表示色が変わっている部分が上記９枚分の範囲である。）。
【００５６】
また、制御部１３は、表示部５の左下端部に「Ｖｉｅｗ」の文字を、また、表示部５の右下端部に「Ｍｏｒｅ」の文字を、それぞれ表示制御する。一例ではあるが、この「Ｖｉｅｗ」の文字は、このアルバム表示モードにおいて、メールキー３１に、現在、選択されているサムネイル画像に対応する静止画像を表示部５に大きく表示する機能が割り当てられていることを意味し、「Ｍｏｒｅ」の文字は、このアルバム表示モードにおいて、Ｗｅｂキー２９に、現在、表示されている９枚のサムネイル画像に続く、該９枚のサムネイル画像よりも過去に撮像された９枚のサムネイル画像を表示部５に表示する機能が割り当てられていることを意味している。
【００５７】
制御部１３は、このアルバム表示モードにおいて、Ｗｅｂキー２９の操作を検出する毎に、現在、表示されている９枚のサムネイル画像に代えて、上記過去に撮像された９枚のサムネイル画像を順次、表示部５に表示制御し、メールキー３１の操作を検出したタイミングで、前述のフォーカスのあたっているサムネイル画像に対応する静止画像をメモリ１２或いは外部メモリ１１から読み出して表示部５に表示制御するようになっている。
【００５８】
このアルバム表示モードにおいて所望の画像を検索する場合、ユーザは、Ｗｅｂキー２９を操作し、９枚ずつサムネイル画像を表示部５に表示操作することで、所望の静止画像のサムネイル画像を表示部５に表示操作し、上記十字キー２５の上下左右の各キー２５Ｕ、２５Ｄ、２５Ｌ、２５Ｒを操作することで、表示部５に表示された９枚のサムネイル画像の中から所望のサムネイル画像にフォーカスをあて、この状態でメールキー３１を操作する。これにより、現在、フォーカスの当てられているサムネイル画像に対応する静止画像（＝所望の静止画像）が制御部１３により表示部５に大きく表示制御されることとなる。
【００５９】
なお、この例では、アルバム表示モードを実行した際に、デフォルトとして（原則として）、最新の撮像画像のサムネイル画像から順に９枚のサムネイル画像を表示することとしたが、これは、前回、アルバム表示モードを実行していた際に表示していた９枚のサムネイル画像を、次回、アルバム表示モードが実行された際に表示してもよい。
【００６０】
また、この例では、アルバム表示モードを実行した際に、デフォルトとして、最新の撮像画像のサムネイル画像にフォーカスをあてることとしたが、これは、前回、アルバム表示モードを実行していた際に表示していた９枚のサムネイル画像を、次回、アルバム表示モードが実行された際に表示すると共に、前回、アルバム表示モードを実行していた際にフォーカスをあてていたサムネイル画像に対して、次回、アルバム表示モードが実行された際に引き続きフォーカスをあてるようにしてもよい。
【００６１】
また、この例では、一例として９枚分の静止画像のサムネイル画像を一度に表示することとしたが、この一度に表示するサムネイル画像の枚数は、例えば６枚や４枚等のように、設計等に応じて変更してもよいし、或いはユーザにより表示枚数を選択できるようにしてもよい。
【００６２】
〔サーチモード〕
次に、上述の「アルバム表示モード」において所望の静止画像の検索や流し見等を行う場合、ユーザは、Ｗｅｂキー２９を操作して、サムネイル画像を９枚ずつ順次表示部５に表示操作しながら、該表示されたサムネイル画像に基づいて所望の静止画像を検索するのであるが、メモリ１２或いは外部メモリ１１に記憶されている静止画像が大量となると、この検索の仕方では所望の静止画像を検索するまでに長時間を要するおそれがある。
【００６３】
例えば、メモリ１２或いは外部メモリ１１に１０００枚の静止画像が記憶されている場合において、上述の例では、この１０００枚の静止画像のうち、最新の静止画像のサムネイル画像（＝１０００番目の静止画像のサムネイル画像）を含む９枚のサムネイル画像が表示されるのであるが、ユーザが検索を希望する静止画像が、最も過去に撮像された静止画像（＝１番目の静止画像）であった場合、この１番目の静止画像のサムネイル画像が表示されるまでに、上記Ｗｅｂキー２９を１１２回も操作する必要があり、所望の静止画像を検索するまでに長時間を要する。
【００６４】
このため、当該実施の形態の携帯電話機では、「月」や「日」等の次元（レンジ）を切り替え可能なタイムライン（時間軸）を上記サムネイル画像と共に表示部５に表示し、このタイムラインの操作に連動するかたちで表示するサムネイル画像を変更することで、大量のコンテンツ（この例の場合は静止画像）のショートカットを可能として、所望の静止画像の迅速な検索を可能としている。
【００６５】
このタイムラインを用いた検索を行う場合、ユーザは、アルバム表示モード中に、操作部６を操作して、「サーチメニュー」の選択を行う。アルバム表示モード中に、この「サーチメニュー」の選択操作を検出すると、制御部１３は「サーチモード」に移行し、図４のフローチャートに示すルーチンを実行する。
【００６６】
すなわち、この「サーチモード」に移行すると、制御部１３は、ステップＳ１において、上記「アルバム表示モード」から当該「サーチモード」に移行する直前にフォーカスをあてていたサムネイル画像に対応する静止画像をメモリ１２或いは外部メモリ１１から検索し、この静止画像に付加されている時間情報を読み出す。そして、この時間情報に基づいて、上記直前にフォーカスをあてていたサムネイル画像に対応する静止画像が撮像された「月」を検出し、処理をステップＳ２に進める。
【００６７】
ステップＳ２では、制御部１３が、上記ステップＳ１で検出した「月」に撮像された静止画像を、メモリ１２或いは外部メモリ１１から検索し、この静止画像に付加されている時間情報に基づいて、その「月」の最新の静止画像から順に９枚の静止画像を選択する。
【００６８】
すなわち、例えば１０月に撮像された静止画像として、１０月３１日に撮像された静止画像が１枚、１０月２５日に撮像された静止画像が５枚、１０月１０日に撮像された静止画像が３枚、１０月１日に撮像された静止画像が１枚が検出された場合、制御部１３は、１０月３１日に撮像された静止画像を最新の静止画像とし、以後、１０月２５日に撮像された静止画像、１０月１０日に撮像された静止画像、１０月１日に撮像された静止画像の順に静止画像の選択を行うこととなる。
【００６９】
次に、制御部１３は、ステップＳ３において、上記ステップＳ１で検出した「月」、及びこのステップＳ１で検出した「月」の「前後の月」に撮像された静止画像を、メモリ１２或いは外部メモリ１１からそれぞれ検索し、各静止画像に付加されている時間情報に基づいて、上記ステップＳ１で検出した「月」に撮像された最新の静止画像、及び上記「前後の月」に撮像された最新の静止画像をそれぞれ検出する。
【００７０】
また、制御部１３は、表示部５の全体の表示領域を、図３（ｂ）に示すように「第１の表示領域」及び「第２の表示領域」に分割すると共に、このステップＳ３において、上記ステップＳ２で検出した上記「月」に撮像された９枚の静止画像に対応するサムネイル画像を形成し、これを、図３（ｂ）に示す表示部５の「第２の表示領域」に表示制御する。
【００７１】
また、制御部１３は、少なくとも「月」及び「日」の時間の単位（＝上記次元（レンジ））を指定操作可能なタイムラインを形成し、このタイムラインを表示部５の「第１の表示領域」に表示制御する。
【００７２】
また、制御部１３は、上記ステップＳ１で検出した「月」に撮像された最新の静止画像のサムネイル画像、及び上記「前後の月」に撮像された最新の静止画像のサムネイル画像等を、それぞれ月順に並べて上記タイムライン上に表示制御する。
【００７３】
また、制御部１３は、このタイムライン上に表示した各月のサムネイル画像のうち、上記第２の表示領域に表示した９枚のサムネイル画像の「月」に対応するサムネイル画像（＝上記ステップＳ１で検出した「月」に対応するサムネイル画像）に対してフォーカスをあてるように表示制御を行う。
【００７４】
なお、ステップＳ１で検出した「月」に撮像された静止画像が９枚に満たない場合、制御部１３は、撮像された枚数分の静止画像のサムネイル画像を表示部５の第２の表示領域に表示制御すると共に、残りのサムネイル画像の表示領域にグレー画像（灰色で塗りつぶされた画像）を表示することで、ユーザに対して、ステップＳ１で検出した「月」に撮像された静止画像は、現在、サムネイル画像が表示されている分だけであることを示すようになっている。
【００７５】
同様に、上記「前後の月」に撮像された静止画像が検出されない場合、制御部１３は、タイムライン上におけるその月のサムネイル画像をグレー画像（灰色で塗りつぶされた画像）として表示することで、ユーザに対して、その月に撮像された静止画像は存在しないことを示すようになっている。
【００７６】
図５に、このタイムラインの詳細な表示例を示す。この図５に示す例は、上記「アルバム表示モード」から当該「サーチモード」に移行する直前にフォーカスをあてていたサムネイル画像が２００４年の１１月に撮像された静止画像のサムネイル画像であった場合の例である。
【００７７】
この場合、制御部１３は、「サーチモード」に移行する直前にフォーカスをあてていたサムネイル画像に対応する静止画像の撮像月である１１月（Nov：November）に撮像された各静止画像のうち、最新の静止画像のサムネイル画像をタイムライン上に表示し、この最新の静止画像のサムネイル画像に付加するかたちで、撮像月の１１月を示す「Ｎｏｖ」の文字を表示する。
【００７８】
また、制御部１３は、「サーチモード」に移行する直前にフォーカスをあてていたサムネイル画像に対応する静止画像の撮像月である１１月の前後の月である、９月（Sep：September）、１０月（Oct：October）、及び１２月（Dec：December）の各月に撮像された静止画像の中から、各月の最新のサムネイル画像をタイムライン上に表示し、この各月の最新の静止画像のサムネイル画像にそれぞれ付加するかたちで、撮像月の９月を示す「Ｓｅｐ」の文字、撮像月の１０月を示す「Ｏｃｔ」の文字、及び撮像月の１２月を示す「Ｄｅｓ」の文字をそれぞれ表示する。
【００７９】
また、制御部１３は、このタイムライン上に表示した各月のサムネイル画像のうち、「サーチモード」に移行する直前にフォーカスをあてていたサムネイル画像に対応する静止画像の撮像月である１１月のサムネイル画像に対してはフォーカスをあてるように表示制御を行う。
【００８０】
また、制御部１３は、上記フォーカスをあてた月である１１月に撮像された上記９枚のサムネイル画像を、上記タイムラインの表示領域の下領域である上記第２の表示領域に表示する。この「サーチモード」時において、上記第２の表示領域に表示する９枚のサムネイル画像の表示順序は、上述の「アルバム表示モード」時における９枚のサムネイル画像の表示順序と同様であり、上段の左側に最新の静止画像に対応するサムネイル画像が表示され、以後、順に撮像時刻に従って表示されるようになっている。
【００８１】
また、制御部１３は、タイムライン上の右端に表示した月のサムネイル画像（この例の場合、１２月のサムネイル画像）と、表示領域の右端との間に右方向の矢印のアイコンを表示すると共に、タイムライン上の左端に表示した月のサムネイル画像（この例の場合、９月のサムネイル画像）と、表示領域の左端との間に左方向の矢印のアイコンを表示する。
【００８２】
上記右方向の矢印のアイコンは、十字キー２５の右キー２５Ｒを操作することで、タイムライン上でフォーカスをあてる月が、例えば９月→１０月→１１月・・・等のように月の進行方向に沿って移動することを意味している。
【００８３】
これに対して、上記左方向の矢印のアイコンは、十字キー２５の左キー２５Ｌを操作することで、タイムライン上でフォーカスをあてる月が、例えば１１月→１０月→９月・・・等のように月の進行方向とは逆の進行方向に沿って移動することを意味している。
【００８４】
後に説明するが、十字キー２５の左右の各キー２５Ｌ、２５Ｒを操作することで、タイムライン上においてフォーカスをあてる月を移動操作すると、上記第２の表示領域に表示されている各月の９枚のサムネイル画像も、このフォーカスの移動操作に連動するかたちで変更表示されるようになっている。
【００８５】
また、制御部１３は、タイムライン上の左端に表示した月のサムネイル画像に隣接するかたちで、現在、タイムライン上にサムネイル画像を表示している各月が属する年の文字と、月表示のカレンダーのアイコンと、日めくりカレンダーのアイコンと、該各アイコンの中間位置に矢印のアイコンを表示する。
【００８６】
この図５に示す例の場合、タイムライン上にサムネイル画像を表示している各月が属する年は２００４年とした例であるため、タイムライン上にはこれを示す「２００４」の文字が表示されている。
【００８７】
また、月表示のカレンダーのアイコン及び日めくりカレンダーのアイコンは、タイムラインの現在の次元（レンジ）を示している。このタイムラインの次元は、十字キー２５の上キー２５Ｕ及び下キー２５Ｄを操作することで切り替え可能となっており、上キー２５Ｕを操作するとタイムラインの次元が「月」の次元に移行し、下キー２５Ｄを操作するとタイムラインの次元が「日」の次元に移行するようになっている。
【００８８】
図５に示す例は、タイムラインの次元が「月」の次元となっている例である。このため、タイムライン上には、各月の最新の静止画像のサムネイル画像が表示されている。なお、後に図６を用いて詳細に説明するが、下キー２５Ｄが操作されることでタイムラインの次元が「日」の次元に移行すると、タイムラインを上記「月」の次元とした際に選択した「月」に撮像された複数の静止画像のサムネイル画像が、当該タイムライン上に表示されるようになっている。
【００８９】
次に、このように表示部５にタイムラインを表示すると、制御部１３は、図４のフローチャートのステップＳ４において、十字キー２５の左右いずれかのキー２５Ｌ、２５Ｒが操作されたか否かを判別する。そして、左キー２５Ｌ、或いは右キー２５Ｒのいずれのキーも操作されていないものと判別した場合はステップＳ７に処理を進め、左キー２５Ｌ、或いは右キー２５Ｒのいずれかのキーが操作されたものと判別した場合はステップＳ５に処理を進める。
【００９０】
このステップＳ４において左キー２５Ｌの操作を検出した場合、制御部１３は、ステップＳ５において、図３（ｃ）に示すように、現在、フォーカスのあたっている月の前の月のサムネイル画像が、現在、フォーカスのあたっている位置となるように、各月のサムネイル画像を移動表示する。また、このステップＳ４において右キー２５Ｒの操作を検出した場合、制御部１３は、ステップＳ５において、図３（ｅ）に示すように、現在、フォーカスのあたっている月の次の月のサムネイル画像が、現在、フォーカスのあたっている位置となるように、各月のサムネイル画像を移動表示する。
【００９１】
例えば、図３（ｂ）に示すように、タイムライン上で、現在、フォーカスのあたっている月のサムネイル画像が１０月（Ｏｃｔ）のサムネイル画像であり、この状態で左キー２５Ｌの操作を検出した場合、制御部１３は、図３（ｃ）に示すようにフォーカスをあてている位置はそのままの状態でサムネイル画像全体を右方向にシフトするかたちで各月のサムネイル画像を表示することで、現在、フォーカスのあたっている月の前の月のサムネイル画像である９月（Ｓｅｐ）のサムネイル画像にフォーカスがあたった状態とする。
【００９２】
同様に、図３（ｂ）に示すように、タイムライン上で、現在、フォーカスのあたっている月のサムネイル画像が１０月（Ｏｃｔ）のサムネイル画像であり、この状態で右キー２５Ｒの操作を検出した場合、制御部１３は、図３（ｅ）に示すようにフォーカスをあてている位置はそのままの状態でサムネイル画像全体を左方向にシフトするかたちで各月のサムネイル画像を表示することで、現在、フォーカスのあたっている月の次の月のサムネイル画像である１１月（Ｎｏｖ）のサムネイル画像にフォーカスがあたった状態とする。
【００９３】
すなわち、フォーカスがあったっている位置をタイムライン上の略々中央に固定して、フォーカスがあったっている位置をユーザに視認し易くした状態で、各月のサムネイル画像をシフト表示している。これにより、フォーカスがあたっている位置をタイムライン上の略々中央に固定した状態で、ユーザにより現在選択されている月を表示することができるため、ユーザに対して、現在、選択している月を認識させ易くすることができる。
【００９４】
次に、図３（ｅ）に示すように１１月（Ｎｏｖ）のサムネイル画像にフォーカスがあたっている状態で右キー２５Ｒが操作された場合、制御部１３は、１２月（Ｄｅｃ）のサムネイル画像にフォーカスをあてた状態とするのであるが、１２月は、その年の終わりの月である。このため、１１月（Ｎｏｖ）のサムネイル画像にフォーカスがあたっている状態で右キー２５Ｒの操作を検出した場合、制御部１３は、図３（ｆ）に示すように各月のサムネイル画像の表示位置を固定した状態で、フォーカスをあてる位置を１２月（Ｄｅｃ）のサムネイル画像の表示位置に移動制御する。
【００９５】
すなわち、制御部１３は、タイムライン上に、その年の開始月である１月（Ｊａｎ）或いは１２月（Ｄｅｃ）のサムネイル画像を表示するまでは、上述のようにフォーカスの位置をタイムラインの略々中央の位置に固定した状態で、左キー２５Ｌ或いは右キー２５Ｒの操作に応じてサムネイル画像全体をシフトするのであるが、タイムライン上にその年の開始月である１月（Ｊａｎ）或いは１２月（Ｄｅｃ）のサムネイル画像を表示した状態で、タイムライン上で選択する月を１１月（Ｎｏｖ）→１２月（Ｄｅｃ）とする操作がなされた場合、及びタイムライン上で選択する月を２月（Ｆｅｂ）→１月（Ｊａｎ）とする操作がなされた場合は、各月のサムネイル画像をシフトする代わりに、フォーカスを移動表示する。
【００９６】
これにより、１１月（Ｎｏｖ）→１２月（Ｄｅｃ）とする操作がなされた場合は、図３（ｆ）に示すようにタイムライン上に表示されているフォーカスが、現在表示されている各月のサムネイル画像のうち、右端に位置するサムネイル画像（１２月（Ｄｅｃ）のサムネイル画像）に移動されることとなり、ユーザに対して、タイムライン上の年の最後の月のサムネイル画像が選択されたことを認識させることができる。
【００９７】
同様に、２月（Ｆｅｂ）→１月（Ｊａｎ）とする操作がなされた場合は、図３（ｇ）に示すようにタイムライン上に表示されているフォーカスが、現在表示されている各月のサムネイル画像のうち、左端に位置するサムネイル画像（１月（Ｊａｎ）のサムネイル画像）に移動されることとなり、ユーザに対して、タイムライン上の年の最初の月のサムネイル画像が選択されたことを認識させることができる。
【００９８】
次に、上述のように１２月（Ｄｅｃ）のサムネイル画像を選択操作すると、フォーカス自体が、この１２月（Ｄｅｃ）のサムネイル画像の表示位置に移動表示制御されるのであるが、この状態で、右キー２５Ｒの操作を検出すると、制御部１３は、この１２月が属する年の次の年のサムネイル画像をタイムライン上に表示すると共に、１月のサムネイル画像にフォーカスをあてるように表示制御を行う。
【００９９】
すなわち、図３（ｆ）は、タイムラインが「２００４年」の「月」の次元となっており、この２００４年の１２月のサムネイル画像にフォーカスがあたっている状態を示しているのであるが、この状態で右キー２５Ｒの操作を検出すると、制御部１３は、２００５年に撮像された静止画像をメモリ１２或いは外部メモリ１１から検出し、各月の最新の静止画像のサムネイル画像を形成する。そして、図３（ｇ）に示すように２００５年の１月（Ｊａｎ）〜４月（Ａｐｒ）の各月のサムネイル画像をタイムライン上に並べて表示すると共に、この２００５年の最初の月である１月（Ｊａｎ）のサムネイル画像にフォーカスをあてて表示する。
【０１００】
同様に、図３（ｇ）に示すように、タイムラインが「２００５年」の「月」の次元となっており、この２００５年の１月のサムネイル画像にフォーカスがあたっている状態で左キー２５Ｌの操作を検出すると、制御部１３は、２００４年に撮像された静止画像をメモリ１２或いは外部メモリ１１から検出し、各月の最新の静止画像のサムネイル画像を形成する。そして、図３（ｆ）に示すように２００４年の９月（Ｓｅｐ）〜１２月（Ｄｅｃ）の各月のサムネイル画像をタイムライン上に並べて表示すると共に、この２００４年の最後の月である１２月（Ｄｅｃ）のサムネイル画像にフォーカスをあてて表示する。
【０１０１】
このように当該実施の形態の携帯電話機においては、タイムラインの次元が「月」の次元の場合において、左キー２５Ｌ或いは右キー２５Ｒを操作することで、「年」の切り替えも行うことができるようになっている。
【０１０２】
ここで、このようにタイムラインが「月」の次元である場合、該タイムライン上には、各月に撮像された静止画像のうち、最新の撮像日の静止画像のサムネイル画像が表示され、その月に撮像された静止画像が存在しない場合は、この月のサムネイル画像としてグレー画像が表示されるのであるが、制御部１３は、フォーカスをあてるサムネイル画像を変更する際に、このグレー画像が表示されている月を飛ばして、フォーカスをあてるサムネイル画像を変更するようになっている。
【０１０３】
例えば、図３（ｂ）に示す例において、タイムライン上の１０月（Ｏｃｔ）のサムネイル画像にフォーカスをあてている状態で左キー２５Ｌの操作を検出した場合、通常、９月（Ｓｅｐ）のサムネイル画像が存在する場合には、この９月（Ｓｅｐ）のサムネイル画像にフォーカスをあてるように上述の表示制御を行う。
【０１０４】
しかし、９月（Ｓｅｐ）のサムネイル画像が存在せず、該９月（Ｓｅｐ）のサムネイル画像がグレー画像となっており、８月（Ａｕｇ）にサムネイル画像が表示されている場合、制御部１３は、タイムライン上の１０月（Ｏｃｔ）のサムネイル画像にフォーカスをあてている状態で左キー２５Ｌの操作を検出したタイミングで、９月（Ｓｅｐ）のグレー画像を飛ばして、８月（Ａｕｇ）のサムネイル画像にフォーカスをあてるように上述の表示制御を行う。これにより、静止画像が存在しない月を飛ばしてブラウジングを行うことができ、メモリ１２或いは外部メモリ１１に記憶されている全部の静止画像の、より高速なブラウジングを可能とすることができる。
【０１０５】
次に、制御部１３は、上記左キー２５Ｌ或いは右キー２５Ｒの操作に応じてタイムライン上の各月のサムネイル画像をシフト表示制御すると、ステップＳ６において、タイムライン上でユーザにより選択された月（＝フォーカスのあたっている月）に撮像された静止画像をメモリ１２或いは外部メモリ１１から検索し、上述のように９枚分の静止画像のサムネイル画像を形成する。そして、この９枚のサムネイル画像のうち、最新の静止画像のサムネイル画像を、第２の表示領域の上段の左側に表示し、以下、撮像日時に従って残り８枚の画像を並べることで、横３枚×縦３枚の状態で計９枚のサムネイル画像を表示する。
【０１０６】
すなわち、図３（ｃ）は、左キー２５Ｌが操作されることで、タイムライン上で、１０月→９月のサムネイル画像が選択された状態を示しているが、この場合、その月の最新の静止画像のサムネイル画像である、９月２９日に撮像された静止画像のサムネイル画像が上段の左側に表示され、以下、９月２５日に撮像された３枚の静止画像のサムネイル画像、９月１５日に撮像された１枚の静止画像のサムネイル画像、９月７日に撮像された２枚の静止画像のサムネイル画像・・・の順に各サムネイル画像が表示されることとなる。
【０１０７】
同様に、図３（ｅ）は、右キー２５Ｒが操作されることで、タイムライン上で、１０月→１１月のサムネイル画像が選択された状態を示しているが、この場合、その月の最新の静止画像のサムネイル画像である、１０月２１日に撮像された４枚の静止画像のサムネイル画像のうち、撮像時刻が最も遅い時刻のサムネイル画像が上段の左側に表示され、以下、１０月５日に撮像された２枚の静止画像のサムネイル画像、１０月３日に撮像された３枚の静止画像のサムネイル画像の順に各サムネイル画像が表示されることとなる。
【０１０８】
なお、タイムライン上に表示されるサムネイル画像は、上述のようにその月に撮像された最新の静止画像のサムネイル画像であり、このタイムラインの下領域である第２の表示領域に表示される９枚のサムネイル画像は、その月に撮像された最新の静止画像のサムネイル画像が上段の左側に表示される。従って、第２の表示領域の上段の左側に表示されるサムネイル画像は、タイムライン上に表示されているサムネイル画像と同じサムネイル画像が表示されることとなる。
【０１０９】
また、この説明でも触れたが、同じ撮像日の静止画像が複数枚存在する場合、制御部１３は、この同じ撮像日の静止画像を撮像時刻に基づいて比較し、撮像時刻が最も遅い時刻のサムネイル画像を先頭として各サムネイル画像を順に表示する。例えば同じ撮像日の３枚の静止画像が存在し、１枚目の静止画像の撮像時刻が午前１０時３０分、２枚目の静止画像の撮像時刻が午後３時００分、３枚目の静止画像の撮像時刻が午後５時３０分であった場合、制御部１３は、午後５時３０分に撮像された静止画像のサムネイル画像、午後３時００分に撮像された静止画像のサムネイル画像、午前１０時３０分に撮像された静止画像のサムネイル画像の順で、上記同じ撮像日の各静止画像のサムネイル画像を表示する。
【０１１０】
次に、図４のフローチャートのステップＳ７において、制御部１３は、十字キー２５の下キー２５Ｄが操作されたか否かを判別し、この下キー２５Ｄの操作を検出しない場合は処理をステップＳ４に戻し、上述のように「月」の次元となっているタイムライン上のサムネイル画像を、左キー２５Ｌ或いは右キー２５Ｒの操作に応じて移動表示制御する。
【０１１１】
これに対して、ステップＳ７において下キー２５Ｄの操作を検出した場合、制御部１３は、ステップＳ８において、現在、「月」の次元となっているタイムラインを、「日」の次元に変更制御する。
【０１１２】
具体的には、タイムラインが「月」の次元となっている状態において、下キー２５Ｄの操作を検出すると、制御部１３は、このステップＳ８において、タイムラインが「月」の次元となっている際にユーザに選択された「月」に撮像された静止画像をメモリ１２或いは外部メモリ１１から検索し、このユーザに選択された「月」に撮像された静止画像のうち、最新の撮像日の静止画像、及びこの最新の撮像日の前４日分の静止画像の計５枚の静止画像のサムネイル画像を形成し、これらを最新の撮像日の静止画像のサムネイル画像が一番右端に位置するようにタイムライン上に表示すると共に、このタイムライン上に表示した各日のサムネイル画像のうち、最新の撮像日の静止画像のサムネイル画像にフォーカスをあてて表示する。
【０１１３】
また、タイムラインが「月」の次元となっている状態において、下キー２５Ｄの操作を検出すると、制御部１３は、このようなタイムライン上に表示するサムネイル画像を、ユーザにより選択された月の各日のサムネイル画像に切り替えると共に、ステップＳ９において、このユーザにより選択された月の各日に撮像された静止画像をメモリ１２或いは外部メモリ１１から検索し、上述のように９枚分の静止画像のサムネイル画像を形成する。そして、この９枚のサムネイル画像を、上記タイムラインの下領域である第２の表示領域に、最新の撮像日の静止画像のサムネイル画像が上段の左側に位置するように、横３枚×縦３枚の状態で計９枚のサムネイル画像を撮像日時に従って表示する。
【０１１４】
図３（ｄ）は、このタイムラインの次元が「日」の次元とされた状態の表示例を示している。この図３（ｄ）に示す例は、タイムラインが「月」の次元となっている状態において、ユーザにより「１１月（Ｎｏｖ）」が選択され、最新の静止画像の撮像日が１１月２３日だった場合の例である。この場合、制御部１３は、タイムラインの現在の次元が「日」の次元であることを示すと共に、ユーザにより選択された月が１１月（Ｎｏｖ）であることを示す「１１月（Ｎｏｖ）」の文字をタイムラインの左端部分に表示する。また、この場合の最新の撮像日の静止画像である１１月２３日に撮像された静止画像のサムネイル画像をタイムラインの右端部分に表示し、この１１月２３日のサムネイル画像にフォーカスをあてると共に、このタイムライン上の右端部分から左端部分にかけて撮像日が１１月２２日、１１月２１日、１１月２０日、１１月１９日の各サムネイル画像を表示する。
【０１１５】
また、このタイムラインの表示領域の下領域となる第２の表示領域には、この１１月の最新の撮像日の静止画像のサムネイル画像である１１月２３日のサムネイル画像を上段の左側に位置させて表示し、以下、撮像日に従って残り８枚のサムネイル画像を表示する。
【０１１６】
この図３（ｄ）に示す例は、１１月２３日に撮像された静止画像が４枚存在し、１１月５日に撮像された静止画像が２枚存在し、１１月３日に撮像された静止画像が３枚存在する例である。この場合、制御部１３は、１１月２３日に撮像された４枚の静止画像のうち、最も撮像時刻の遅い時刻の静止画像のサムネイル画像を上段の左側に位置させて表示し、これに続けて残り３枚の静止画像のサムネイル画像を撮像時刻の遅い順に並べて表示する。
【０１１７】
また、この図３（ｄ）に示す例の場合、１１月２３日に撮像された静止画像が４枚存在する。このように撮像日が同日の静止画像が複数存在する場合、制御部１３は、同日の撮像日の静止画像のうち、最も遅い時刻に撮像された静止画像のサムネイル画像をタイムライン上に表示する。例えば、午前１０時００分と午後１時００分に撮像された静止画像が存在する場合、タイムライン上には、午後１時００分に撮像された静止画像のサムネイル画像を表示する。
【０１１８】
また、この図３（ｄ）に示す例の場合、１１月２３日の撮像日以前の撮像日は１１月５日である。このため、タイムライン上に表示される１１月１９日〜１１月２３日に撮像された静止画像の各サムネイル画像としては、１１月２３日に撮像されたサムネイル画像しか存在しないこととなる。この場合、制御部１３は、タイムライン上に１１月２３日に撮像されたサムネイル画像を表示すると共に、１１月１９日〜１１月２２日の４枚のサムネイル画像をグレー画像（灰色で塗りつぶされた画像）として表示することで、ユーザに対して、その日に撮像された静止画像は存在しないことを示すようになっている。
【０１１９】
次に、このようにタイムラインの次元を「日」の次元に移行させた状態とすると、制御部１３は、図４のフローチャートのステップＳ１０において、十字キー２５の左キー２５Ｌ或いは右キー２５Ｒが操作されたか否かを判別する。そして、左キー２５Ｌ或いは右キー２５Ｒの操作を検出しない場合は処理をステップＳ１３に進め、左キー２５Ｌ或いは右キー２５Ｒの操作を検出した場合は処理をステップＳ１１に進める。
【０１２０】
左キー２５Ｌ或いは右キー２５Ｒの操作を検出することで処理をステップＳ１１に進めると、制御部１３は、左キー２５Ｌ或いは右キー２５Ｒの操作に応じて、タイムラインに表示しているフォーカスを左方向或いは右方向に移動表示制御する。
【０１２１】
具体例を、図６を用いて説明する。この図６は、タイムラインの次元が「日」の次元となっている場合の詳細な表示例である。この図６からタイムラインの次元が「日」の次元となると、日めくりカレンダーのアイコンの下に、現在選択中の「月」を示す１１月の文字が表示されていることがわかるであろう。
【０１２２】
この図６に示す例において、タイムライン上の１１月２５日のサムネイル画像にフォーカスをあてている状態で右キー２５Ｒの操作を検出した場合、制御部１３は、この右キー２５Ｒの操作を１回検出する毎に、１１月２６日のサムネイル画像→１１月２７日のサムネイル画像・・・の順にフォーカスを移動表示制御する。同様に、図６に示す例において、タイムライン上の１１月２５日のサムネイル画像にフォーカスをあてている状態で左キー２５Ｌの操作を検出した場合、制御部１３は、この左キー２５Ｌの操作を１回検出する毎に、１１月２４日のサムネイル画像→１１月２３日のサムネイル画像・・・の順にフォーカスを移動表示制御する。
【０１２３】
ここで、このようにタイムラインが「日」の次元である場合、該タイムライン上には、各日に撮像された静止画像のうち、最新の撮像日の静止画像のサムネイル画像が表示され、その日に撮像された静止画像が存在しない場合は、この日のサムネイル画像としてグレー画像が表示されるのであるが、制御部１３は、フォーカスをあてるサムネイル画像を変更する際に、このグレー画像が表示されている日を飛ばして、フォーカスをあてるサムネイル画像を変更するようになっている。
【０１２４】
例えば、図３（ｄ）に示す例において、タイムライン上の２３日のサムネイル画像にフォーカスをあてている状態で左キー２５Ｌの操作を検出した場合、通常、２２日のサムネイル画像が存在する場合には、この２２日のサムネイル画像にフォーカスをあてるように上述の表示制御を行う。
【０１２５】
しかし、２０日〜２２日のサムネイル画像が存在せず、該２０日〜２２日のサムネイル画像がグレー画像となっており、１９日にサムネイル画像が表示されている場合、制御部１３は、タイムライン上の２３日のサムネイル画像にフォーカスをあてている状態で左キー２５Ｌの操作を検出したタイミングで、２０日〜２２日のグレー画像を飛ばして、１９日のサムネイル画像にフォーカスをあてるように上述の表示制御を行う。
【０１２６】
これにより、静止画像が存在しない日を飛ばしてブラウジングを行うことができ、メモリ１２或いは外部メモリ１１に記憶されている全部の静止画像の、より高速なブラウジングを可能とすることができる。
【０１２７】
次に、タイムラインの次元が「日」の次元となっている状態において、上記左右の各キー２５Ｌ、２５Ｒの操作を検出すると、制御部１３は、このようなフォーカスの移動表示制御と共に、図４のフローチャートのステップＳ１２において、上記９枚のサムネイル画像を表示している第２の表示領域の上段、中段及び下段の各表示領域のうち「上段」の表示領域に、タイムライン上でフォーカスをあてているサムネイル画像に対応するサムネイル画像を表示するように、各段毎のサムネイル画像をシフトさせて表示制御する。
【０１２８】
具体的には、例えば図３（ｄ）に示す例において、タイムライン上で１１月３日のサムネイル画像にフォーカスが移動操作された場合、制御部１３は、図３（ｄ）に示すように現在、下段に表示されている１１月３日のサムネイル画像を、現在、１１月２３日のサムネイル画像が表示されている上段に位置するように、該１１月３日のサムネイル画像の「段」をシフトアップする。
【０１２９】
すなわち、サムネイル画像の各段内の表示位置は動かすことなく、「各段単位」でシフトを行う。これにより、タイムライン上で選択された撮像日のサムネイル画像が、上記第２の表示領域の上段、中段及び下段の各表示位置のうち、常に上段に位置するように表示制御することができる。
【０１３０】
次に、制御部１３は、このようにサムネイル画像のシフト表示制御を行い、或いは上記ステップＳ１０で左キー２５Ｌ或いは右キー２５Ｒの操作が検出されなかった場合、制御部１３は、図４のフローチャートのステップＳ１３において、十字キー２５の上キー２５Ｕが操作されたか否かを判別する。そして、上キー２５Ｕの操作が検出されない場合には、処理をステップＳ１０に戻し、再度、上述の左キー２５Ｌ或いは右キー２５Ｒの操作の有無の判別処理から各ステップを実行する。
【０１３１】
これに対して、上キー２５Ｕの操作が検出された場合、制御部１３は、処理をステップＳ３に戻し、タイムラインの次元を、現在の「日」の次元から「月」の次元に戻す。具体的には、制御部１３は、図３（ｄ）に示すようにタイムラインが「日」の次元となっている状態において、上キー２５Ｕの操作を検出すると、上記ステップＳ３において、図３（ｅ）に示すように「日」の次元のタイムライン上でフォーカスをあてているサムネイル画像の撮像日が属する「月」と、この月の前後の月の各サムネイル画像を形成し、これらを、上記「日」の次元のタイムライン上でフォーカスをあてていたサムネイル画像の撮像日が属する「月」のサムネイル画像にフォーカスをあてた状態でタイムライン上に表示制御する。また、「日」の次元のタイムライン上でフォーカスをあてていたサムネイル画像の撮像日が属する「月」に撮像された静止画像から上記９枚のサムネイル画像を形成、これをタイムラインの下領域である第２の表示領域に表示制御する。これにより、表示部５の表示形態が、タイムラインの次元が「日」の次元の表示形態から、タイムラインの次元が「月」の次元の表示形態に戻ることとなる。
【０１３２】
このように、ユーザは、「サーチモード」において、十字キー２５の上キー２５Ｕ及び下キー２５Ｄを操作してタイムラインの次元を「月」の次元から「日」の次元に切り替え操作し、或いは「日」の次元から「月」の次元に切り替え操作する。また、ユーザは、この切り替えた次元において、十字キー２５の左キー２５Ｌ及び右キー２５Ｒを操作して、タイムライン上でフォーカスをあてるサムネイル画像を変更操作し、所望の静止画像に対応するサムネイル画像を選択する。
【０１３３】
このようなタイムラインの操作を行うと、このタイムラインの操作に連動して、該タイムライン上でフォーカスがあたっているサムネイル画像に関連する９枚のサムネイル画像が、該タイムライン上に表示されるサムネイル画像よりも多少大きめのサムネイル画像として第２の表示領域に表示される。
【０１３４】
ユーザは、タイムラインを操作することで所望のサムネイル画像にあたりをつけ、このタイムラインの操作に連動して第２の表示領域に多少大きめに表示される９枚のサムネイル画像で所望の静止画像に対応するサムネイル画像を確認する。これにより、大量の静止画像を高速にブラウジングして所望の静止画像を高速に検索可能とすることができる。
【０１３５】
また、タイムライン上、及びこのタイムラインの表示領域の下の表示領域である第２の表示領域に各静止画像のサムネイル画像を表示し、ユーザは、このサムネイル画像に基づいて所望の静止画像を検索するようになっているため、この各サムネイル画像に基づいて、所望の静止画像を直接的にユーザの目で確認しながら検索することができる。このため、メモリ１２や外部メモリ１１に記憶した静止画像の検索を容易とするために、該各静止画像毎にメタ情報を入力して付加する面倒な作業を不要とすることができ、大量の静止画像の中から所望の静止画像を高速に検索可能とすることができる。
【０１３６】
次に、図３（ｂ）〜図３（ｇ）、図５及び図６に示すように、この「サーチモード」時においては、制御部１３は、表示部５の左下の表示領域に「Ｓｅｌｅｃｔ」の文字を表示する。この「Ｓｅｌｅｃｔ」の文字は、この「サーチモード」時には、図２に示すメールキー３１に対して当該「サーチモード」を上述の「アルバム表示モード」に戻す機能が割り当てられていることを意味している。
【０１３７】
このため、制御部１３は、この「サーチモード」中には、常時、メールキー３１の操作状態を監視しており、メールキー３１の操作を検出したタイミングで、当該「サーチモード」を図３（ａ）に示す「アルバム表示モード」に戻す。この際、制御部１３は、「サーチモード」時にユーザにより選択された静止画像のサムネイル画像（＝「サーチモード」時にタイムライン上でフォーカスをあてていたサムネイル画像）が、上記上段、中段及び下段のサムネイル画像の各表示領域のうち、上段の表示領域に位置するように、「アルバム表示モード」時における各サムネイル画像の表示を行う。これにより、「サーチモード」時に検索した所望のサムネイル画像の静止画像を、「アルバム表示モード」において、表示部５に大きく表示することが可能となる。
【０１３８】
すなわち、ユーザは、所望の静止画像を表示部５に大きく表示する場合、「サーチモード」において所望の静止画像のサムネイル画像を検索して選択し、この所望の静止画像のサムネイル画像を選択した状態で、メールキー３１を操作する。これにより、「サーチモード」時にユーザにより選択されたサムネイル画像が、「アルバム表示モード」時において上段の表示位置に表示される。
【０１３９】
この「アルバム表示モード」時には、図３（ａ）を用いて説明したように、所望のサムネイル画像を選択するためのフォーカスが表示されため、ユーザは十字キー２５を介してこのフォーカスを移動操作したうえでメールキー３１を操作する。この「アルバム表示モード」時には、メールキー３１に対して、フォーカスのあたっているサムネイル画像の静止画像を表示部５に大きく表示する機能が割り当てられているため、制御部１３は、メールキー３１の操作を検出したタイミングで、フォーカスのあたっているサムネイル画像の静止画像を表示部５に大きく表示する。これにより、上記「サーチモード」で検索した所望の静止画像を表示部５に大きく表示することができる。
【０１４０】
［実施の形態の効果］
以上の説明から明らかなように、この実施の形態の携帯電話機は、「サーチモード」時において、「アルバム表示モード」時に表示していた例えば９枚のサムネイル画像を第２の表示領域に表示し、この第２の表示領域の上領域となる第１の表示領域に時間軸（＝上記タイムライン）を表示する。このタイムラインの次元（レンジ）は、「月」の次元、及び「日」の次元に切り替え可能となっており、ユーザは、十字キー２５の上下キー２５Ｕ、２５Ｄを操作して、タイムラインの次元を所望の次元に切り替え操作する。タイムラインが「月」の次元となっている場合には、例えば図５に示すように月表示のカレンダーのアイコンを表示し、タイムラインが「日」の次元となっている場合には、例えば図６に示すように日めくりカレンダーのアイコンを表示する。これにより、ユーザが、現在の次元を容易に認識可能とすることができる。
【０１４１】
タイムライン上には、各次元毎のサムネイル画像が表示される。例えば、タイムラインが「月」の次元とされている場合には、各月毎の最新の撮像日の静止画像のサムネイル画像が並べて表示され、タイムラインが「日」の次元とされている場合には、タイムラインが「月」の次元とされている際にユーザにより選択された「月」に撮像された各静止画像のサムネイル画像が、新しい撮像日から順に並べられて表示される。
【０１４２】
ユーザは、この切り替えた次元において、十字キー２５の左キー２５Ｌ及び右キー２５Ｒを操作して、タイムライン上でフォーカスをあてるサムネイル画像を変更操作して所望の静止画像に対応するサムネイル画像を選択する。このフォーカスをあてるサムネイル画像を変更操作に連動して、第２の表示領域に表示される９枚のサムネイル画像も変更して表示される。
【０１４３】
このためユーザは、上記タイムラインを操作して所望のサムネイル画像にあたりをつけ、このタイムラインの操作に連動して第２の表示領域に表示される９枚のサムネイル画像で所望の静止画像のサムネイル画像を確認する。これにより、大量の静止画像を高速にブラウジングして所望の静止画像を高速に検索可能とすることができる。
【０１４４】
また、第１の表示領域のタイムライン上及び第２の表示領域に、それぞれ各静止画像のサムネイル画像を表示し、ユーザは、このサムネイル画像に基づいて所望の静止画像を検索するようになっているため、この各サムネイル画像に基づいて、所望の静止画像を直接的にユーザの目で確認しながら検索することができる。このため、メモリ１２や外部メモリ１１に記憶した静止画像の検索を容易化するために、該各静止画像毎にメタ情報を入力して付加する面倒な作業を不要とすることができ、大量の静止画像の中から所望の静止画像を高速に検索可能とすることができる。
【０１４５】
また、タイムラインが「月」或いは「日」の次元となっている場合において、静止画像が存在しない「月」或いは「日」は、サムネイル画像の代わりに例えばグレー画像が表示されるのであるが、フォーカスをあてるサムネイル画像を変更する際に、このグレー画像を飛ばして、フォーカスをあてるサムネイル画像を変更するようになっている。これにより、静止画像が存在しない「月」や「日」を飛ばしてブラウジングを行うことができ、メモリ１２或いは外部メモリ１１に記憶されている全部の静止画像の、より高速なブラウジングを可能とすることができる。
【０１４６】
［変形例］
上述の実施の形態の説明では、本発明を携帯電話機に適用することとしたが、本発明は、ＰＨＳ電話機（PHS：Personal Handyphone System）、ＰＤＡ装置（PDA：Personal Digital Assistant）、ノート型のパーソナルコンピュータ装置等の携帯端末装置の他、デスクトップ型のパーソナルコンピュータ装置等の端末装置に適用してもよい。
【０１４７】
また、上述の実施の形態の説明では、静止画像及び動画像のブラウジングを可能としたが、この静止画像の他、動画像や音楽データのブラウジングも可能であり、また、インデックスを作成することで文書データのブラウジングも可能である。このような他のデータのブラウジングに本発明を適用した場合であっても、上述と同様の効果を得ることができる。なお、動画像のブラウジングを行う場合には、一例ではあるが第１フレームの画像のサムネイル画像を形成し、これをタイムライン上等に表示すればよい。
【０１４８】
また、タイムラインは「月の次元」と「日の次元」との間で次元の切り替えが可能であることとしたが、これは、「年の次元」、「週の次元」、「時刻の次元」等で次元の切り替えを可能としてもよい。
【０１４９】
また、タイムライン上に表示するサムネイル画像は、その月、或いはその日に属する最新のサムネイル画像を表示することとしたが、その月、或いはその日に撮像された静止画像が複数存在する場合、これら複数の静止画像の各サムネイル画像を、時間等に応じてトグルさせてタイムライン上に表示してもよい。
【０１５０】
また、第２の表示領域に表示される９枚のサムネイル画像は、タイムラインの操作に連動することとしたが、反対に、第２の表示領域に表示されている９枚のサムネイル画像の操作に応じて、タイムラインが連動するようにしてもよい。
【０１５１】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【０１５２】
【図１】本発明を適用した実施の形態の携帯電話機のブロック図である。
【図２】実施の形態の携帯電話機の外観を示す斜視図である。
【図３】実施の形態の携帯電話機のブラウジングモード時における操作ボタンと表示画面の遷移との関係を説明するための各表示画面の模式図である。
【図４】実施の形態の携帯電話機のブラウジングモード時における動作の流れを示すフローチャートである。
【図５】実施の形態の携帯電話機において、ブラウジングモード時に表示されるタイムラインが「月」のレンジ（次元）とされている場合の表示画面の一例を示す図である。
【図６】実施の形態の携帯電話機において、ブラウジングモード時に表示されるタイムラインが「日」のレンジ（次元）とされている場合の表示画面の一例を示す図である。
【符号の説明】
【０１５３】
１  アンテナ、２  通信回路、３  スピーカ部、４  マイクロホン部、５  表示部、６  操作部、７  発光部（ＬＥＤ）、８  カメラ部、９  バイブレーションユニット、１０  外部メモリインターフェイス（外部メモリＩＦ）、１１  外部メモリ、１２  メモリ、１３  制御部、２１  携帯電話機の筐体、２４  エンターキー、２５  十字キー、２５Ｕ  十字キーの上キー、２５Ｄ  十字キーの下キー、２５Ｌ  十字キーの左キー、２５Ｒ  十字キーの右キー、２６  オンフックキー、２７  オフフックキー、２８  入力キー、２９  Ｗｅｂキー、３０  マイセレクトキー、３１  メールキー、３２  クリアキー、３３  撮影モード切り替えキー、３４  イヤホン接続端子、３５  シャッタボタン、３６  充電端子
【図１】
2006302196.tif 000003
【図２】
2006302196.tif 000004
【図３】
2006302196.tif 000005
【図４】
2006302196.tif 000006
【図５】
2006302196.tif 000007
【図６】
2006302196.tif 000008